(57)【要約】      （修正有）【課題】簡単な構成からなり、樹枝状部材と種子部材とが容易に脱落しにくい造花を提供する。【解決手段】造花は、３以上の枝部１１に枝分かれし枝部１１にそれぞれ節部１２をもつ樹枝状部材１と、種子植物の種子底部に凹部２１が設けられた３以上の種子部材２と、を有し、枝部１１と凹部２１とがそれぞれ固定される。少なくとも２／３以上の種子部材２は、節部１２の外周側端部１２１が凹部２１の内壁面２１１にめり込み、枝部１１と内壁面２１１との間に接着剤Ａが塗布されていることにより枝部１１と凹部２１とが固定されている。【選択図】 図２
0003158732.tif 000002
【実用新案登録請求の範囲】
【請求項１】
３以上の枝部に枝分かれし該枝部にそれぞれ節部をもつ樹枝状部材と、
種子植物の種子底部に凹部が設けられた３以上の種子部材と、を有し、
該枝部と該凹部とがそれぞれ固定された造花であって、
少なくとも２／３以上の前記種子部材は、前記節部の外周側端部が前記凹部の内壁面にめり込み、前記枝部と該内壁面との間に接着剤が塗布されていることにより該枝部と該凹部とが固定されていることを特徴とする造花。
【請求項２】
前記凹部は、円錐状をなしている請求項１に記載の造花。
【請求項３】
前記接着剤は、瞬間接着剤である請求項１または２に記載の造花。
【請求項４】
前記樹枝状部材は竹であり、前記種子部材は松笠である請求項１〜３のいずれか１項に記載の造花。
【考案の詳細な説明】
【技術分野】
【０００１】
本考案は、自然素材を用いた装飾用の造花に関する。
【背景技術】
【０００２】
乾燥した自然素材を用いてブローチ、髪飾り、イヤリングなどの装身具並びに壁飾り等の装飾具が汎用されている。その他にも、例えば、特許文献１及び２に開示されているように、乾燥した松笠などを用いて花状にした松笠製の装飾体や、特許文献３に開示されているように、松笠から分離した松笠片を用いた装飾品などが知られている。
【０００３】
これらの装飾品の中でも、竹枝の先端に乾燥させた松笠を固定して金色や銀色に塗装した招福松笠と呼ばれる造花は、正月用及びクリスマス用の造花として人気がある。招福松笠は、松笠の底部に穴をあけ、穴の部分に接着剤を塗布して竹枝の先端に挿入し、松笠を固定するのが一般的である。しかしながら、竹枝の先端に松笠を挿入して接着固定しただけのものは、輸送時の振動又は他の部材との接触により、容易に松笠が竹枝から脱落してしまい、商品価値を失うものが多くみられた。
【０００４】
そのため、輸送時に梱包を厳重にするなどして、松笠が竹枝から脱落することを防止する必要があり、製造コストの上昇を招いていた。また、輸送時の過剰梱包は、自然環境保護の面からも好ましくなく、対策が必要であった。
【先行技術文献】
【特許文献】
【０００５】
【特許文献１】実開平７−４０７３２号公報
【特許文献２】特開平６−１２７２００号公報
【特許文献３】特開２００１−１９９１９８号公報
【考案の概要】
【考案が解決しようとする課題】
【０００６】
本考案は、上記事情に鑑み、簡単な構成からなり、竹枝などの樹枝状部材と松笠などの種子部材とが容易に脱落しにくい造花を提供することを目的とする。
【課題を解決するための手段】
【０００７】
本考案の造花は、３以上の枝部に枝分かれし該枝部にそれぞれ節部をもつ樹枝状部材と、種子植物の種子底部に凹部が設けられた３以上の種子部材と、を有し、該枝部と該凹部とがそれぞれ固定された造花であって、少なくとも２／３以上の前記種子部材は、前記節部の外周側端部が前記凹部の内壁面にめり込み、前記枝部と該内壁面との間に接着剤が塗布されていることにより該枝部と該凹部とが固定されていることを特徴とする。
【０００８】
本考案の造花において、前記凹部は、円錐状をなしているのが好ましく、また、前記接着剤は、瞬間接着剤であるのが好ましい。
【０００９】
さらに、本考案の造花において、前記樹枝状部材は竹であり、前記種子部材は松笠であるのが好ましい。
【考案の効果】
【００１０】
本考案の造花では、少なくとも２／３以上の種子部材は、節部の外周側端部が種子部材の凹部の内壁面にめり込み、枝部と内壁面との間に接着剤が塗布されて枝部と種子部材の凹部とが固定されているので、枝部から種子部材が脱落しようとする場合に、節部は枝部が伸びる方向に容易に可動することができず、枝部と種子部材の凹部との固定は強固である。
【００１１】
また、本考案の造花では、種子部材の凹部が円錐状をなしていると、枝部の外径にばらつきがあっても、種子部材の凹部の内壁面に節部の外周側端部をめり込ませることができ、枝部と種子部材の凹部とを固定することができる。
【図面の簡単な説明】
【００１２】
【図１】本考案の造花の一例を模式的に示した斜視図である。
【図２】枝部と種子部材の凹部との固定部分の一例において、枝部が伸びる方向の断面を模式的に示した断面図である。
【図３】枝部と種子部材の凹部との固定部分の他の一例において、枝部の外径が大きい場合（上図）及び小さい場合（下図）における枝部が伸びる方向の断面を模式的に示した断面図である。
【図４】従来技術による枝部と種子部材の凹部との固定部分において、枝部が伸びる方向の断面を模式的に示した断面図である。
【考案を実施するための形態】
【００１３】
以下に、本考案の造花を実施するための形態を、図面を用いて説明する。
（造花の構成）
本考案の造花は、３以上の枝部に枝分かれし枝部にそれぞれ節部をもつ樹枝状部材と、種子植物の種子底部に凹部が設けられた３以上の種子部材と、を有する。そして、樹枝状部材の枝部と種子部材の凹部とがそれぞれ接着剤によって固定されている。
【００１４】
ここで、図１は、本考案の造花の一例を模式的に示した斜視図である。この造花は、４つの枝部１１に枝分かれし枝部１１にそれぞれ１つ又は２つの節部１２をもつ樹枝状部材１と、種子植物の種子底部に凹部２１が設けられた４つの種子部材２と、を有し、樹枝状部材１の枝部１１と種子部材２の凹部２１とがそれぞれ接着剤によって固定されている。
【００１５】
樹枝状部材は、３以上の枝部に枝分かれし枝部にそれぞれ節部をもつ素材であれば特に限定はないが、例えば、自然の竹を用いることができる。また、ポリエチレンテレフタレート（ＰＥＴ）、ポリアセタール、アクリルなどの樹脂を射出成型して自然の竹を模擬したものでもよい。
【００１６】
枝分かれの数は、３以上に枝分かれしていれば、特に限定されない。枝分かれの数が２以下では、固定される種子部材の数が少ないため、造花としての美観が悪く、商品価値が乏しくなる。また、節部の数も特に限定されないが、枝分かれした枝部に少なくとも１つの節部を要する。節部は、枝部と種子部材の凹部との固定に寄与する。詳しくは、後述する。また、節部が枝部と種子部材の凹部との固定に使われない場合であっても、節が有する美観により造花としての商品価値を高めることができる。図１では、Ｙで示された枝部１１は、枝部１１と種子部材２の凹部２１との固定に寄与する１つの節部１２（図示せず）と、枝部１１と種子部材２の凹部２１との固定に寄与しない節部１２と、を有している。
【００１７】
節部の形状及び材質は、節部の外周側端部が種子部材の凹部の内壁面にめり込むことができ、節部がめり込んだときに発生する力に耐え得る形状及び材質であれば、特に限定されることはない。例えば、樹枝状部材に天然の竹を用いた場合は、竹が有する節をそのまま節部として用いることができる。樹枝状部材に人工物を用いた場合は、例えば、枝部の外周面に枝部と同材料で形成した突起を設けることにより節部とすることができる。
【００１８】
種子部材は、種子植物の種子底部に凹部を設けることができ、樹枝状部材の節部の外周側端部が種子部材の凹部の内壁面にめり込むことができる程度の可撓性または伸縮性を有すれば、特に限定はされない。例えば、クロマツやアカマツなどの松笠を用いることができる。松笠を用いる場合は、松笠を乾燥させ、乾燥後に虫の発生を防止するためニスを塗布しておくとよい。ニスの種類は特に限定されないが、例えば、市販の天然品や合成品などを用いることができる。
【００１９】
凹部の形状は、樹枝状部材の枝部と種子部材の凹部とを固定することができれば、特に限定はされない。例えば、凹部の形状は、円柱状であっても、直方体をはじめとした多角柱であってもよく、円錐状とすることもできる。なお、枝部と種子部材の凹部との固定方法は後述する。
【００２０】
接着剤は、樹枝状部材の枝部と種子部材の凹部とを固定することができ、樹枝状部材と種子部材の材質に適合した接着剤を用いることができる。樹枝状部材の枝部と種子部材の凹部とを固定することができ、樹枝状部材と種子部材の材質に適合した接着剤であれば、その種類は特に限定されない。また、接着剤は、市販の接着剤を使用することができる。例えば、樹枝状部材に竹を、種子部材に松笠を用いた場合は、木工用接着剤、瞬間接着剤、多用途型接着剤、エポキシ樹脂系接着剤などを用いることができる。
【００２１】
木工用接着剤は、酢酸ビニル樹脂を水に分散した水系接着剤であり、木材などの接着に適している。木工用接着剤は、有機溶剤を使用していないので、環境に優しく火気に対しても安全な接着剤である。瞬間接着剤は、α−シアノアクリレート樹脂を主成分とし、接着スピードが最も速い接着剤である。数秒から１〜２分で接着剤が硬化するため、作業効率の向上が図れる。多用途型接着剤は、軟らかい対象から硬い対象まで幅広い材質に適しており、使いやすく、安全性の高い水系の接着剤である。エポキシ樹脂系接着剤は、エポキシ樹脂を主成分とする２液を混合して使用する接着剤であり、硬化膜は硬く強靭である。また、化学反応で硬化するため肉やせがなく、穴埋め、すき間の充填などにも使用できる。
（樹枝状部材の枝部と種子部材の凹部との固定）
本考案の造花は、樹枝状部材の枝部と種子部材の凹部とがそれぞれ固定され、少なくとも２／３以上の種子部材は、樹枝状部材の節部の外周側端部が種子部材の凹部の内壁面にめり込み、枝部と種子部材の凹部の内壁面との間に接着剤が塗布されていることにより樹枝状部材の枝部と種子部材の凹部とが固定されている。
【００２２】
本考案の造花では、少なくとも２／３以上の種子部材は、樹枝状部材の節部が寄与する固定方法によって枝部と固定されている。枝部から種子部材が脱落することを防止するという観点からすると、すべての種子部材が、この方法によって固定されていることが好ましいが、樹枝状部材が天然素材の場合は、必ずしも節部の位置を自由に決められない場合がある。
【００２３】
例えば、図１に示す造花では、Ｘで示された種子部材２を除いて、樹枝状部材１の節部１２の外周側端部１２１（図示せず）が種子部材２の凹部２１の内壁面２１１（図示せず）にめり込み、枝部１１と種子部材２の凹部２１の内壁面２１１（図示せず）との間に接着剤が塗布されて固定されている。一方、Ｘで示された種子部材２は、凹部２１に節部を包含せず、枝部１１と種子部材２の凹部２１の内壁面２１１（図示せず）との間に接着剤が塗布されて固定されているのみである。これは、Ｘで示された種子部材２が固定された枝部１１は、図示された節部１２が他の種子部材２と近接しており、樹枝状部材の節部が寄与する固定方法によって種子部材２を固定することができなかったからである。つまり、図１に示す造花では、４つの種子部材２のうち、３つの種子部材２が樹枝状部材の節部が寄与する固定方法によって枝部と固定されていることになる。
【００２４】
次に、枝部と種子部材の凹部との固定方法について詳述する。
【００２５】
図２は、枝部と種子部材の凹部との固定部分の一例において、枝部が伸びる方向の断面を模式的に示した断面図である。この造花では、種子部材２の凹部２１は円柱状をなし、樹枝状部材１の節部１２の外周側端部１２１が種子部材２の凹部２１の内壁面２１１にめり込んでいる。そして、樹枝状部材１の枝部１１と種子部材２の凹部２１の内壁面２１１との間に接着剤Ａが塗布されており、樹枝状部材１の枝部１１と種子部材２の凹部２１とが固定されている。
【００２６】
また、図４は、従来技術による枝部と種子部材の凹部との固定部分において、枝部が伸びる方向の断面を模式的に示した断面図である。従来技術では、種子部材２の凹部２１は円柱状をなし、樹枝状部材１の枝部１１と種子部材２の凹部２１の内壁面２１１との間に接着剤Ａが塗布されており、樹枝状部材１の枝部１１と種子部材２の凹部２１とが固定されている。なお、種子部材２の凹部２１は、樹枝状部材１の節部１２（図示せず）を包含していない。
【００２７】
図２では、樹枝状部材１の節部１２の外周側端部１２１が種子部材２の凹部２１の内壁面２１１にめり込んでいるので、樹枝状部材１の節部１２は、枝部１１が伸びる方向に容易に可動することができない。そのため、従来技術である図４の場合と比べて、樹枝状部材１の枝部１１と種子部材２の凹部２１との固定は強固である。
【００２８】
図３は、枝部と種子部材の凹部との固定部分の他の一例において、枝部の外径が大きい場合（上図）及び小さい場合（下図）における枝部が伸びる方向の断面を模式的に示した断面図である。図３は、図２の場合と比べて、種子部材２の凹部２１が円錐状をなしている点が相違する。それ以外は、図２の場合と同じ構成であり、同じ構成部分には同じ符号を付し、その説明は省略する。
【００２９】
種子部材の凹部が円柱状など深さが均一である場合、種子部材の凹部の内壁面に樹枝状部材の節部をめり込ませるためには、樹枝状部材の節部の外径と種子部材の凹部の内径とを略同一にする必要がある。しかしながら、竹などの天然素材を樹枝状部材とした場合は、枝部ごとに外径が相違し、節部の外径も均一ではない。そのため、種子部材の凹部の内壁面に樹枝状部材の節部をめり込ませるためには、節部の外径に合わせて種子部材の凹部の内径を変更する必要がある。よって、種子部材に凹部を設ける際に使用する工具の種類が多くなり、工具の交換が頻繁に生じて作業効率が低下する。
【００３０】
一方、図３では、種子部材２の凹部２１が円錐状をなしている。樹枝状部材１の枝部１１の外径が大きい場合（上図）は、種子部材２の凹部２１の内壁面２１１に樹枝状部材１の節部１２の外周側端部１２１が凹部２１の開口側でめり込んでいる。また、樹枝状部材１の枝部１１の外径が小さい場合（下図）は、種子部材２の凹部２１の内壁面２１１に樹枝状部材１の節部１２の外周側端部１２１が凹部２１の奥側でめり込んでいる。よって、樹枝状部材１の外径に多少のばらつきがあっても、種子部材２の凹部２１の内壁面２１１に樹枝状部材１の節部１２の外周側端部１２１をめり込ませることができ、枝部１１と種子部材２の凹部２１とを固定することができる。したがって、樹枝状部材１の外径のばらつきにより、種子部材２の凹部２１の内径を変更する必要がなく、種子部材２に凹部２１を設ける際に使用する工具の種類を少なくすることができ、作業効率が向上する。
【実施例】
【００３１】
以下に、本考案の実施例を図面を用いて説明する。
【００３２】
（実施例１）
以下に、実施例１の造花を図１、２及び４を用いて説明する。
【００３３】
実施例１の造花は、樹枝状部材１と種子部材２とを有し、樹枝状部材１の形状は、図１で示される形状と同じである。図１のＸで示された種子部材２は、枝部１１と種子部材２の凹部２１との固定部分の枝部１１が伸びる方向の断面が図４と同じである。Ｘ以外の種子部材２は、枝部１１と種子部材２の凹部２１との固定部分の枝部１１が伸びる方向の断面が図２と同じである。よって、すべての種子部材２の凹部２１は円柱状をなしている。
【００３４】
樹枝状部材１は、図１で示される枝部１１が伸びる方向の長さ（図１の紙面縦方向の枝木の長さ）が略４００ｍｍの自然の竹を用いた。竹の枝部１１の直径はいずれも略３ｍｍであり、竹の根元の直径は略４ｍｍである。竹の節部１２の外周側端部１２１の直径は、いずれも略３．５ｍｍであり、図１のＸで示された種子部材２と固定される枝部１１を除いて、枝部１１の先端は、枝部１１が伸びる方向側の節部１２から０．５ｍｍのところで切断して、樹枝状部材１の形状が図１で示される形状と同じになった。切断は、市販のニッパーにより行った。
【００３５】
種子部材２は、最も太い部分の直径が約２０〜３０mmの範囲内にあり中心軸の高さが約２０〜５０mmの範囲内にある自然の松笠を４個用いた。松笠の底部に市販の工作用ドリルを用いて円柱状の凹部２１を設けた。凹部２１の円の直径は３ｍｍ、深さ（円柱の高さに相当）は５ｍｍとした。ドリルの刃の先端形状は円柱状である。そして、ドライヤーを用いて松笠を乾燥させ、松笠の鱗片を半分ほど開かせた後、市販品のニスを塗布した。ニスが乾燥した後、種子部材２の凹部２１に市販の瞬間接着剤を塗布して、すぐに枝部１１に種子部材２の凹部２１をそれぞれ挿入して、枝部１１と種子部材２の凹部２１とを固定した。
【００３６】
（実施例２）
以下に、実施例２の造花を図１、３及び４を用いて説明する。
【００３７】
実施例２の造花は、樹枝状部材１と種子部材２とを有し、樹枝状部材１の形状は、図１で示される形状と同じである。図１のＸで示された種子部材２は、枝部１１と種子部材２の凹部２１との固定部分の枝部１１が伸びる方向の断面が図４と同じである。Ｘ以外の種子部材２は、枝部１１と種子部材２の凹部２１との固定部分の枝部１１が伸びる方向の断面が図３と同じである。よって、Ｘ以外の種子部材２の凹部２１は円錐状をなしている。
【００３８】
樹枝状部材１は、図１で示される枝部１１が伸びる方向の長さ（図１の紙面縦方向の枝木の長さ）が略４００ｍｍの自然の竹を用いた。竹の枝部１１の直径は略３〜３．５ｍｍであり、竹の根元の直径は略４ｍｍである。竹の節部１２の外周側端部１２１の直径は、略３．５〜４ｍｍであり、図１のＸで示された種子部材２と固定される枝部を除いて、枝部１１の先端は、枝部１１が伸びる方向側の節部１２から０．５ｍｍのところで切断して、樹枝状部材１の形状が図１で示される形状と同じになった。切断は、市販のニッパーにより行った。
【００３９】
種子部材２は、最も太い部分の直径が約２０〜３０mmの範囲内にあり中心軸の高さが約２０〜５０mmの範囲内にある自然の松笠を４個用いた。松笠の底部に市販の工作用ドリルを用いて円錐状の凹部２１を設けた。凹部２１の円の直径は５ｍｍ、深さ（円錐の高さに相当）は５ｍｍとした。ドリルの刃の先端形状は円錐状である。そして、ドライヤーを用いて松笠を乾燥させ、松笠の鱗片を半分ほど開かせた後、市販品のニスを塗布した。ニスが乾燥した後、種子部材２の凹部２１に市販の瞬間接着剤を塗布して、すぐに枝部１１に種子部材２の凹部２１をそれぞれ挿入して、枝部１１と種子部材２の凹部２１とを固定した。
【符号の説明】
【００４０】
１：樹枝状部材
１１：枝部
１２：節部
１２１：外周側端部
２：種子部材
２１：凹部
２１１：内壁面
Ａ：接着剤
【図１】
0003158732.tif 000003
【図２】
0003158732.tif 000004
【図３】
0003158732.tif 000005
【図４】
0003158732.tif 000006